(57)【特許請求の範囲】
【請求項１】
カード支持部の上面両縁部に一側から他側へ向けて延びる側壁部を有し、前記側壁部の間にカード媒体が挿入されるハウジングと、
前記ハウジングの前記側壁部と係合するハウジング係合部を備え、前記ハウジングの前記側壁部の間に挿入される前記カード媒体を覆うシールドカバーと、
固定接点を有し、前記ハウジングの前記側壁部のうちの一方に前記固定接点が前記ハウジングの側方を向くように固定された固定コンタクト端子と、
前記ハウジング係合部の一方に設けられた可動コンタクト端子であって、可動接点を有し、前記固定接点に向けて可動接点が付勢される可動コンタクト端子とを備え、
前記固定コンタクト端子および前記可動コンタクト端子によりノーマルクローズスイッチを構成したカードコネクタであって、
前記シールドカバーに、前記シールドカバーから前記ハウジングの側に突出して、前記側壁部のうちの一方が前記ハウジングの中心側へ倒れないように支える変形防止部を設けたことを特徴とするカードコネクタ。
【請求項２】
前記変形防止部は、前記シールドカバーに一体的に形成されていて、前記ハウジングのカード支持部の上面に接する位置まで前記シールドカバーから前記ハウジングの側に突出していることを特徴とする請求項１に記載のカードコネクタ。
【請求項３】
前記可動コンタクト端子は、前記ハウジングの前記側壁部の前記ハウジングの外側に設けられていることを特徴とする請求項１または請求項２に記載のカードコネクタ。
【請求項４】
前記シールドカバーに前記可動コンタクト端子を設けて、前記固定接点および前記側壁部のうちの一方を、前記可動接点と前記変形防止部とにより挟み込むよう構成した請求項１から請求項３のいずれか１項に記載のカードコネクタ。
【請求項５】
前記変形防止部は、前記側壁部の間に挿入されるカード媒体を前記カード支持部の一側から他側へ向けて案内するよう構成されていることを特徴とする請求項１から請求項４のいずれか１項に記載のカードコネクタ。
【発明の詳細な説明】
【技術分野】
【０００１】
本発明は、カードコネクタに関する。
【背景技術】
【０００２】
従来、携帯電話機や情報端末機器等の電子機器に用いるカードコネクタにおいて、カードコネクタに対するカードの挿入状態を検出するためのスイッチ手段を備えたものが知られている（例えば、特許文献１参照）。
【０００３】
図９に示すように、前述した従来のカードコネクタは、ＳＤカード、ＭＭＣカード等の図示しないカード媒体が挿入されるハウジング１００に、コンタクト端子１０５，１０６およびスイッチ手段ＳＷ１を装着している。
【０００４】
ハウジング１００は、樹脂材料により形成され、カード媒体差し込み方向に延びてカード媒体幅方向に対向するフレーム部１２１，１２２と、カード媒体幅方向に延びてフレーム部１２１，１２２のカード媒体差し込み方向前方Ｆ側の端部に連なるフレーム部１２３とを有している。
【０００５】
ハウジング１００は、フレーム部１２１，１２２，１２３により囲まれる範囲に、カード媒体厚み方向に窪んだカード媒体収容部１２４を有している。カード媒体収容部１２４は、ハウジング１００のカード媒体差し込み方向手前Ｒ側からカード媒体差し込み方向前方Ｆ側に向けて挿入されるカード媒体を支持するようになっている。
【０００６】
図１０に示すように、ハウジング１００は、フレーム部１２１の裏面部側に、スイッチ手段ＳＷ１が装着されるスイッチ装着部Ｓ１を有している。
【０００７】
スイッチ装着部Ｓ１は、フレーム部１２１の裏面部から表面部へ向けて所定の深さに切り欠いた凹状部Ｓ１Ａと、凹状部Ｓ１Ａに連なってカード媒体差し込み方向前方Ｆ側に延びる取付溝Ｓ１Ｂ，Ｓ１Ｃとからなり、フレーム部１２３の近傍に位置している。
【０００８】
凹状部Ｓ１Ａは、カード媒体収容部１２４に挿入されるカード媒体に向けて開放するように形成されている。取付溝Ｓ１Ｂは、後述する可動コンタクト端子１０７の基端部が差し込まれる溝幅を有している。取付溝Ｓ１Ｃは、後述する固定コンタクト端子１０８の基端部が差し込まれる溝幅を有している。
【０００９】
図９に示すように、コンタクト端子１０５，１０６は、導電性に優れた金属で形成されたカード媒体差し込み方向に延びる薄板ばねであり、カード媒体厚み方向に弾性変形するようになっている。
【００１０】
コンタクト端子１０５は、複数個がフレーム部１２３に対してカード媒体幅方向に並ぶように固定されている。コンタクト端子１０５のカード媒体差し込み方向手前Ｒ側の端部の上面部は、カード媒体収容部１２４に挿入されたカード媒体のパッド部に接触するようになっている。また、コンタクト端子１０５のカード媒体差し込み方向前方Ｆ側の端部の下面部は、図示しない基板の導体箔に半田付けされるようになっている。
【００１１】
コンタクト端子１０６は、複数個がカード媒体収容部１２４に対してカード媒体幅方向に並ぶように固定されている。コンタクト端子１０６のカード媒体差し込み方向前方Ｆ側の端部の上面部は、コンタクト端子１０５のカード媒体差し込み方向手前Ｒ側の端部の下面部に当接するようになっている。また、コンタクト端子１０６のカード媒体差し込み方向手前Ｒ側の端部の下面部は、図示しない基板の導体箔に半田付けされるようになっている。
【００１２】
スイッチ手段ＳＷ１は、カード媒体収容部１２４に差し込まれるカード媒体の挿入状態を検出するためのもので、可動コンタクト端子１０７および固定コンタクト端子１０８を含んで構成されている。可動コンタクト端子１０７および固定コンタクト端子１０８は、導電性に優れた金属で形成された薄板ばねである。
【００１３】
図１１（ａ）に示すように、可動コンタクト端子１０７は、カード媒体差し込み方向前方Ｆ側を向く先端部の可動接点１０７Ａと、カード媒体差し込み方向前方Ｆ側を向く基端部のリード線接続部１０７Ｂとの間に、カード媒体接触部１０７Ｃおよび押圧力付与部１０７Ｄを有している。さらに、可動コンタクト端子１０７は、リード線接続部１０７Ｂの近傍に取付タブ１０７Ｅを有している。
【００１４】
カード媒体接触部１０７Ｃは、可動接点１０７Ａに連なり、可動接点１０７Ａからカード媒体差し込み方向手前Ｒ側に離れた位置でカード媒体収容部１２４に向けて凸状に湾曲するようになっている。押圧力付与部１０７Ｄは、カード媒体接触部１０７Ｃに連なり、カード媒体接触部１０７Ｃからカード媒体差し込み方向手前Ｒ側に離れた位置でカード媒体差し込み方向前方Ｆ側に向けて湾曲するようになっている。
【００１５】
可動コンタクト端子１０７は、前述したスイッチ装着部Ｓ１の凹状部Ｓ１Ａに配置され、取付溝Ｓ１Ｂに基端部が差し込まれるとともに、フレーム部１２１に取付タブ１０７Ｅが固定されている。これにより、可動コンタクト端子１０７は、カード媒体収容部１２４に挿入されるカード媒体に向けてカード媒体接触部１０７Ｃが突出するようになっている。
【００１６】
図１１（ｂ）に示すように、固定コンタクト端子１０８は、カード媒体差し込み方向前方Ｆ側を向く先端部の固定接点１０８Ａと、カード媒体差し込み方向前方Ｆ側を向く基端部のリード線接続部１０８Ｂとの間に、取付タブ１０８Ｃを有している。
【００１７】
固定コンタクト端子１０８は、前述したスイッチ装着部Ｓ１の凹状部Ｓ１Ａに配置され、取付溝Ｓ１Ｃに基端部が差し込まれるとともに、フレーム部１２１に取付タブ１０８Ｃが固定されている。
【００１８】
可動コンタクト端子１０７は、押圧力付与部１０７Ｄにより可動接点１０７Ａを、常時、固定コンタクト端子１０８の固定接点１０８Ａに向けて付勢するように構成されており、カード媒体収容部１２４の所定位置までカード媒体が挿入されていないと、固定接点１０８Ａに可動接点１０７Ａが接触するようになっている。
【００１９】
また、可動コンタクト端子１０７は、カード媒体収容部１２４の所定位置までカード媒体が挿入されると、カード媒体接触部１０７Ｃにカード媒体の側縁部が当接することによりハウジング１００の側方へ向けて押し出され、固定接点１０８Ａから可動接点１０７Ａが離れるようになっている。このため、スイッチ装着部Ｓ１の凹状部Ｓ１Ａは、カード媒体幅方向への可動コンタクト端子１０７の振れを許容する広い空間になっている。
【００２０】
したがって、スイッチ手段ＳＷ１は、可動接点１０７Ａと固定接点１０８Ａとの導通の有無に基づいて、カード媒体収容部１２４に差し込まれるカード媒体の挿入状態を検出することができる。
【先行技術文献】
【特許文献】
【００２１】
【特許文献１】特開２００８−３０５７８６号公報
【発明の概要】
【発明が解決しようとする課題】
【００２２】
上述した従来のカードコネクタのように、可動コンタクト端子１０７がカード媒体収容部１２４の内部に大きく入り込んでいるカードコネクタでは、固定コンタクト端子１０８を固定できるハウジングの位置や構造が限定されている。例えば、上述した従来のカードコネクタでは、ハウジングに形成されている取付溝Ｓ１Ｃに基端部が取り付けられることによって固定コンタクト端子１０８がハウジングに固定されていたり、他の従来のカードコネクタでは、ハウジングに立設された薄壁の壁面に固定コンタクト端子が固定されている。
【００２３】
しかし、そのようなカードコネクタでは、コンタクト端子１０５，１０６と基板の導体箔とをリフロー加熱により半田付けするときに、樹脂製のハウジング１００が軟化するため、可動コンタクト端子１０７から押圧力を受けている固定コンタクト端子１０８を固定している部分のハウジング１００が押圧力によって反ってしまって固定コンタクト端子１０８がハウジング１００の中心側に倒れたり、固定コンタクト端子が固定されている薄壁が倒れたりして、固定コンタクト端子１０８と可動コンタクト端子１０７との接点荷重が低下することが懸念されている。
【００２４】
そこで、本発明は、上述した課題を解決するためになされたものであり、リフロー加熱時における固定コンタクト端子を固定している部分のハウジングの反りや曲りを防ぎ、固定コンタクト端子と可動コンタクト端子との接点荷重の低下を防ぐことができるカードコネクタを提供することを目的としている。
【課題を解決するための手段】
【００２５】
本発明に係るカードコネクタは、上記目的を達成するため、カード支持部の上面両縁部に一側から他側へ向けて延びる側壁部を有し、前記側壁部の間にカード媒体が挿入されるハウジングと、前記ハウジングの前記側壁部と係合するハウジング係合部を備え、前記ハウジングの前記側壁部の間に挿入される前記カード媒体を覆うシールドカバーと、固定接点を有し、前記ハウジングの前記側壁部のうちの一方に前記固定接点が前記ハウジングの側方を向くように固定された固定コンタクト端子と、前記ハウジング係合部の一方に設けられた可動コンタクト端子であって、可動接点を有し、前記固定接点に向けて可動接点が付勢される可動コンタクト端子とを備え、前記固定コンタクト端子および前記可動コンタクト端子によりノーマルクローズスイッチを構成したカードコネクタであって、前記シールドカバーに、前記シールドカバーから前記ハウジングの側に突出して、前記側壁部のうちの一方が前記ハウジングの中心側へ倒れないように支える変形防止部を設けた構成としている。
【００２６】
この構成により、本発明に係るカードコネクタは、リフロー加熱時に、ハウジングを形成している樹脂材料が軟化した状態になると、シールドカバーに設けた変形防止部が、可動コンタクト端子から押圧力を受ける固定コンタクト端子および側壁部のうちの一方を支える。
【００２７】
このため、本発明に係るカードコネクタは、側壁部のうちの一方がハウジングの中心側へ倒れない。よって、リフロー加熱時における固定コンタクト端子を固定している部分のハウジングの反りや曲りを防ぎ、固定コンタクト端子と可動コンタクト端子との接点荷重の低下を防ぐことができる。
【００２８】
また、上述した構成のカードコネクタにおいて、前記変形防止部は、前記シールドカバーに一体的に形成されていて、前記ハウジングのカード支持部の上面に接する位置まで前記シールドカバーから前記ハウジングの側に突出するよう構成することが好ましい。
【００２９】
この構成により、本発明に係るカードコネクタは、リフロー加熱時に、ハウジングを形成している樹脂材料が軟化した状態になると、シールドカバーに設けた変形防止部が、側壁部のうちの一方の上側への変位を抑える。
【００３０】
このため、本発明に係るカードコネクタは、リフロー加熱時における固定コンタクト端子を固定している部分のハウジングの反りや曲りを防ぎ、固定コンタクト端子と可動コンタクト端子との接点荷重の低下を防ぐことができる。
【００３１】
また、上述した構成のカードコネクタにおいて、前記可動コンタクト端子は、前記ハウジングの前記側壁部の前記ハウジングの外側に設けられた構成とすることが好ましい。
【００３２】
この構成により、本発明に係るカードコネクタは、リフロー加熱時に、ハウジングを形成している樹脂材料が軟化した状態になると、シールドカバーに設けた変形防止部が、可動コンタクト端子から押圧力を受ける固定コンタクト端子および側壁部のうちの一方を支える。
【００３３】
このため、本発明に係るカードコネクタは、リフロー加熱時における固定コンタクト端子を固定している部分のハウジングの反りや曲りを防ぎ、固定コンタクト端子と可動コンタクト端子との接点荷重の低下を防ぐことができる。
【００３４】
また、上述した構成のカードコネクタにおいて、前記シールドカバーに前記可動コンタクト端子を設けて、前記固定接点および前記側壁部のうちの一方を、前記可動接点と前記変形防止部とにより挟み込むよう構成することが好ましい。
【００３５】
この構成により、本発明に係るカードコネクタは、リフロー加熱時に、ハウジングを形成している樹脂材料が軟化した状態になると、シールドカバーに設けた可動コンタクト端子と変形防止部とが、固定コンタクト端子および側壁部のうちの一方を支える。
【００３６】
このため、本発明に係るカードコネクタは、リフロー加熱時における固定コンタクト端子を固定している部分のハウジングの反りや曲りを防ぎ、固定コンタクト端子と可動コンタクト端子との接点荷重の低下を防ぐことができる。
【００３７】
また、上述した構成のカードコネクタにおいて、前記変形防止部は、前記側壁部の間に挿入されるカード媒体を前記カード支持部の一側から他側へ向けて案内するよう構成前記変形防止部は、前記側壁部の間に挿入されるカード媒体をカード支持部の一側から他側へ向けて案内するよう構成することが好ましい。
【００３８】
この構成により、本発明に係るカードコネクタは、シールドカバーに設けた変形防止部が、側壁部の間に挿入されるカード媒体をカード支持部の一側から他側へ向けて案内する。
【００３９】
このため、本発明に係るカードコネクタは、ハウジングにカード媒体が斜めに挿入されても、側壁部のうちの一方に損傷が生じることがない。
【発明の効果】
【００４０】
本発明によれば、リフロー加熱時における固定コンタクト端子を固定している部分のハウジングの反りや曲りを防ぎ、固定コンタクト端子と可動コンタクト端子との接点荷重の低下を防ぐことができるカードコネクタを提供することができる。
【図面の簡単な説明】
【００４１】
【図１】本発明の実施の形態に係るカードコネクタの斜視図である。
【図２】図１に示すカードコネクタのＡ−Ａ断面図である。
【図３】図１に示すカードコネクタのＢ−Ｂ断面図および一部拡大図である。
【図４】図２におけるカードコネクタのハウジングのカード媒体収容部にカード媒体を挿入している状態を表す図である。
【図５】図２におけるカードコネクタのハウジングのカード媒体収容部の所定位置までカード媒体が差し込まれた状態を表す図である。
【図６】図１におけるカードコネクタのハウジングを示す斜視図である。
【図７】図１におけるカードコネクタのシールドカバーを示す斜視図である。
【図８】本発明の実施の形態に係るカードコネクタの変形例の一部拡大図である。
【図９】従来のカードコネクタを構成するハウジングの平面図である。
【図１０】従来のカードコネクタを構成するハウジングの底面図である。
【図１１】従来のカードコネクタを構成するスイッチ手段の部品図であって、（ａ）は可動コネクタ端子の斜視図、（ｂ）は固定コネクタ端子の斜視平面図である。
【発明を実施するための形態】
【００４２】
以下、本発明の実施の形態に係るカードコネクタについて、図面を参照して説明する。
【００４３】
図１ないし図５に示すように、本実施の形態に係るカードコネクタ１は、樹脂製のハウジング１０と、金属製のシールドカバー２０と、固定コンタクト端子３０および可動コンタクト端子４０により構成されるノーマルクローズスイッチＳＷ−ＮＣとを備えている。
【００４４】
図２、図６に示すように、ハウジング１０は、カード支持部１１と、カード支持部１１の上面一縁部に連なってカード媒体差し込み方向手前Ｒ側からカード媒体差し込み方向前方Ｆ側へ向けて延びる側壁部１２と、カード支持部１１の上面他縁部に連なって側壁部１２と同方向に延びる側壁部１３とを有しており、側壁部１２，１３の間に、図４、図５に示すカード媒体５０が挿入されるカード媒体収容部１４を形成している。
【００４５】
ハウジング１０は、カード支持部１１に厚み方向に貫通する６つの開口窓１５を有している。これら開口窓１５は、カード媒体差し込み方向手前Ｒ側から前方Ｆ側へ向かう方向を行とし、かつカード媒体幅方向を列とする２行３列の形態となるよう配置されている。
【００４６】
ハウジング１０は、各開口窓１５のそれぞれに、コンタクト端子６０を組み込んでいる。コンタクト端子６０は、導電性に優れた金属で形成された薄板ばねであり、カード媒体差し込み方向中間部に上方へ向けて凸湾曲状に突出する接点部６１を有している。さらに、コンタクト端子６０は、端部の下面部が図示しない基板の導体箔に半田付けされるようになっている。
【００４７】
ハウジング１０は、カード媒体収容部１４にカード媒体５０を挿入した際に、コンタクト端子６０の接点部６１にカード媒体５０の下面部の図示しないパッド部が接触するようになっている。
【００４８】
図１、図７に示すように、シールドカバー２０は、カード支持部１１のカード媒体収容部１４を上側から部分的に覆うカード被覆部２１と、カード被覆部２１の一縁部に連なってカード支持部１１の側壁部１２に係合するハウジング係合部２２と、カード被覆部２１の他縁部に連なってカード支持部１１の側壁部１３に係合するハウジング係合部２３とを有している。
【００４９】
図３に示すように、固定コンタクト端子３０は、ハウジング１０の側壁部１２に沿って延びる固定接点３１と、固定接点３１の下端部からハウジング１０の中心側へ向けて延びる取付部３２とを有しており、導電性に優れた金属で形成されている。
【００５０】
固定コンタクト端子３０は、ハウジング１０にインサート成形されており、取付部３２が側壁部１２およびカード支持部１１に埋まるとともに、固定接点３１が側壁部１２から外部に露出するようになっている。
【００５１】
固定コンタクト端子３０の固定接点３１が固定されている側壁部１２は、従来のカードコネクタの固定コンタクト端子とは異なり、カード媒体収容部１４内に入り込んでいないため、任意の厚みを持つことができる。これにより、側壁部１２は可動コンタクト端子４０から押される力に対し十分な強度を保有することができる。
【００５２】
図１、図２に示すように、可動コンタクト端子４０は、導電性に優れた金属で形成されたカード媒体差し込み方向に延びる薄板ばねであり、カード媒体差し込み方向手前Ｒ側の基端部がシールドカバー２０のハウジング係合部２２に連なるよう構成されている。
【００５３】
図４、図５に示すように、可動コンタクト端子４０は、長手方向中間部に固定コンタクト端子３０の固定接点３１に接触する可動接点４１を有し、カード媒体差し込み方向前方Ｆ側の先端部にカード媒体収容部１４に向けて屈曲するカード媒体接触部４２を有している。
【００５４】
可動コンタクト端子４０は、それ自体が有する弾性により、可動接点４１およびカード媒体接触部４２がハウジング１０の中心側へ向けて付勢されるようになっている。また、可動コンタクト端子４０は、ハウジング１０のカード媒体収容部１４の所定位置までカード媒体５０が差し込まれると、カード媒体接触部４２にカード媒体５０の先端角縁部が当接するようになっている。
【００５５】
固定コンタクト端子３０および可動コンタクト端子４０により構成されるノーマルクローズスイッチＳＷ−ＮＣは、ハウジング１０のカード媒体収容部１４に差し込まれるカード媒体５０の挿入状態を検出するためのものである。
【００５６】
ノーマルクローズスイッチＳＷ−ＮＣは、カード媒体収容部１４の所定位置までカード媒体５０が挿入されていないと、可動コンタクト端子４０自体が有する弾性により、固定コンタクト端子３０の固定接点３１に可動接点４１が接触した状態になる。
【００５７】
また、ノーマルクローズスイッチＳＷ−ＮＣは、ハウジング１０のカード媒体収容部１４の所定位置までカード媒体５０が差し込まれると、カード媒体接触部４２にカード媒体５０の先端角縁部が当接することにより、ハウジング１０の側方へ向けて押し出され、固定接点３１から可動接点４１が離れた状態になる。
【００５８】
したがって、ノーマルクローズスイッチＳＷ−ＮＣは、固定接点３１と可動接点４１との導通の有無に基づいて、カード媒体収容部１４に差し込まれるカード媒体５０の挿入状態を検出することができる。
【００５９】
図１、図３に示すように、本実施の形態に係るカードコネクタ１は、シールドカバー２０のカード被覆部２１に変形防止部７０を一体に形成している。変形防止部７０は、カード被覆部２１の一縁部に連なって、ノーマルクローズスイッチＳＷ−ＮＣよりもハウジング１０の中心側に位置するよう下向きに屈曲している。
【００６０】
変形防止部７０のシールドカバー２０の中心側の面部は、ハウジング１０のカード媒体収容部１４に挿入されるカード媒体５０を、カード媒体差し込み方向へ案内するようになっている。
【００６１】
また、本実施の形態に係るカードコネクタ１は、側壁部１２のハウジング１０の中心側の部位に、変形防止部７０が入り込む切欠部１６を形成している。切欠部１６は、上方を向く面部およびハウジング１０の中心側を向く面部を有しており、これらの面に対し、変形防止部７０の下端部の下方を向く面部およびハウジング１０の外側を向く面部がそれぞれ接している。
【００６２】
これにより、本実施の形態に係るカードコネクタ１は、固定コンタクト端子３０の固定接点３１およびハウジング１０の側壁部１２を、可動コンタクト端子４０の可動接点４１と変形防止部７０とにより挟み込むようになっている。
【００６３】
次に、本実施の形態に係るカードコネクタ１の作用を説明する。
【００６４】
本実施の形態に係るカードコネクタ１は、コンタクト端子６０と基板の導体箔とをリフロー加熱により半田付けするときに、ハウジング１０を形成している樹脂材料が軟化した状態になると、シールドカバー２０に設けた変形防止部７０が、可動コンタクト端子４０から押圧力を受けて固定コンタクト端子３０の固定接点３１が固定されているハウジング１０の側壁部１２を支えるとともに、側壁部１２の上側への変位を抑える。
【００６５】
このため、本実施の形態に係るカードコネクタ１は、固定コンタクト端子３０が取り付けられている側壁部１２がハウジング１０の中心側へ倒れない。よって、本実施の形態に係るカードコネクタ１は、リフロー加熱時における固定コンタクト端子３０を固定している部分のハウジング１０の反りや曲りを防ぎ、固定コンタクト端子３０と可動コンタクト端子４０との接点荷重の低下を防ぐことができる。
【００６６】
また、本実施の形態に係るカードコネクタ１は、変形防止部７０のシールドカバー２０の中心側の面部が、ハウジング１０のカード媒体収容部１４に挿入されるカード媒体５０を、カード媒体差し込み方向へ案内する。
【００６７】
このため、本実施の形態に係るカードコネクタ１は、ハウジング１０にカード媒体５０が斜めに挿入されても、側壁部１２に損傷が生じることがない。
【００６８】
図８は、本実施の形態に係るカードコネクタ１の変形例を示すもので、図中、図１ないし図７と同一の符号を付した部分は同一物を表している。
【００６９】
このカードコネクタ１における変形防止部７０は、カード被覆部２１の一縁部に連なって、ノーマルクローズスイッチＳＷ−ＮＣよりもハウジング１０の中心側に位置するよう下向きに屈曲し、カード支持部１１の上面に接する位置まで突出している。また、変形防止部７０は、ハウジング１０の外側を向く面部が、側壁部１２のハウジング１０の中心側を向く面部に相対している。
【００７０】
これにより、本実施の形態に係るカードコネクタ１の変形例は、固定コンタクト端子３０の固定接点３１およびハウジング１０の側壁部１２を、可動コンタクト端子４０の可動接点４１と変形防止部７０とにより挟み込むようになっている。
【００７１】
次に、本実施の形態に係るカードコネクタ１の変形例の作用を説明する。
【００７２】
本実施の形態に係るカードコネクタ１の変形例は、前述したリフロー加熱時に、ハウジング１０を形成している樹脂材料が軟化した状態になると、変形防止部７０が、可動コンタクト端子４０から押圧力を受けて固定コンタクト端子３０の固定接点３１が固定されているハウジング１０の側壁部１２を支えるとともに、変形防止部７０の下端部が、カード支持部１１の側壁部１２の側の部分の上側への変位を抑える。
【００７３】
このため、本実施の形態に係るカードコネクタ１の変形例は、側壁部１２がハウジング１０の中心側へ倒れない。よって、本実施の形態に係るカードコネクタ１の変形例は、ハウジング１０の反りや曲りを防ぎ、固定コンタクト端子３０と可動コンタクト端子４０との接点荷重の低下を防ぐことができる。
【００７４】
また、本実施の形態に係るカードコネクタ１の変形例は、変形防止部７０のシールドカバー２０の中心側の面部が、ハウジング１０のカード媒体収容部１４に挿入されるカード媒体５０を、カード媒体差し込み方向へ案内するため、ハウジング１０にカード媒体５０が斜めに挿入されても、側壁部１２に損傷が生じることがない。
【００７５】
なお、本発明に係るカードコネクタの技術的範囲は、上述した実施の形態に限定されるものではなく、特許請求の範囲に記載した各構成要素の種々の変更を含むものである。
【００７６】
以上のように、本発明に係るカードコネクタは、リフロー加熱時における固定コンタクト端子を固定している部分のハウジングの反りや曲りを防ぎ、固定コンタクト端子と可動コンタクト端子との接点荷重の低下を防ぐことができるという効果を奏するもので、各種の基板アッセンブリ等に有用である。
【符号の説明】
【００７７】
１…カードコネクタ、１０…ハウジング、１１…カード支持部、１２，１３…側壁部、２０…シールドカバー、２２，２３…ハウジング係合部、３０…固定コンタクト端子、３１…固定接点、４０…可動コンタクト端子、４１…可動接点、５０…カード媒体、７０…変形防止部、ＳＷ−ＮＣ…ノーマルクローズスイッチ
【図１】
0005858057.tif 000002
【図２】
0005858057.tif 000003
【図３】
0005858057.tif 000004
【図４】
0005858057.tif 000005
【図５】
0005858057.tif 000006
【図６】
0005858057.tif 000007
【図７】
0005858057.tif 000008
【図８】
0005858057.tif 000009
【図９】
0005858057.tif 000010
【図１０】
0005858057.tif 000011
【図１１】
0005858057.tif 000012